(57)【要約】【課題】装着された光ファイバのコネクタの位置が可動で、光コンセントのプラグ着脱動作を容易に行うことができ、かつ収納されている光ファイバの過度の湾曲を回避することができる光コンセントを提供する。【解決手段】  光コンセント１００は、壁面に取り付けるベース１０と、一端の内側に光ファイバ用コネクタ４が着脱可能に装着され、他端が第１のカバー部材２０に連結された開閉自在な第２のカバー部材３０とを備え、第１のカバー部材２０と第２のカバー部材３０とを連結する連結部に逃げ穴３２Ｃが設けられる。また、第１のカバー部材２０と第２のカバー部材３０とを連結する連結部は所定角度で回動可能なヒンジ構造を有する。また、第１のカバー部材２０は、光ファイバ敷設部材１の端部をカバーするカバー端部を有する。【選択図】      図１
2006323290.tif 000002
【特許請求の範囲】
【請求項１】
光ファイバを利用した通信用配線に用いられる光コンセントにおいて、
壁面に取り付けるベースと、前記ベースに着脱可能に装着されるカバーとを備え、
前記カバーは、
前記ベースに着脱可能に装着するための突起部を有する第１のカバー部材と、
一端の内側に光ファイバ用コネクタが着脱可能に装着されるコネクタ装着部が設けられ、他端が前記第１のカバー部材に連結される回動自在な第２のカバー部材とを有することを特徴とする光コンセント。
【請求項２】
前記第１のカバー部材と前記第２のカバー部材とを連結する連結部に、前記第２のカバー部材を回動させる時に前記光ファイバの所定曲率を確保するための逃げ穴が設けられることを特徴とする請求項１に記載の光コンセント。
【請求項３】
内部に配設された前記光ファイバを引き留める引き留め部材をさらに有することを特徴とする請求項１または請求項２に記載の光コンセント。
【請求項４】
前記第２のカバー部材を回動させる時に、収納されている前記光ファイバに対し、所定曲率を確保し、かつ前記光ファイバに伸縮する力が働かない位置に回転中心を持つことを特徴とする請求項１乃至３のいずれかに記載の光コンセント。
【請求項５】
前記第１のカバー部材と前記第２のカバー部材とを連結する連結部は所定角度で回動可能なヒンジ構造を有することを特徴とする請求項１乃至４のいずれかに記載の光コンセント。  
【請求項６】
前記第１のカバー部材と前記第２のカバー部材とは、所定角度で回動可能な連結部を介して一体に成型されることを特徴とする請求項１乃至４のいずれかに記載の光コンセント。  
【請求項７】
前記第２のカバー部材の目的以外の開きを防ぐためのロック機構をさらに備えることを特徴とする請求項１乃至６のいずれかに記載の光コンセント。
【請求項８】
前記第１のカバー部材は、前記光ファイバの敷設部材の端部をカバーするカバー端部を有することを特徴とする請求項１乃至７のいずれかに記載の光コンセント。
【請求項９】
前記第２のカバー部材の内側に着脱可能に装着され、前記光ファイバを覆うようになされる内カバーを有することを特徴とする請求項１乃至８のいずれかに記載の光コンセント。
【請求項１０】
複数の前記ベースが並列に配置され、または並列に一体に成型され、
それぞれのベースに、内側に光ファイバ用コネクタが着脱可能に装着される前記カバーが着脱可能に装着されることを特徴とする請求項１乃至９のいずれかに記載の光コンセント。
【発明の詳細な説明】
【技術分野】
【０００１】
本発明は、住宅またはオフィス等の室内に光ファイバの配線を自由に行うことができ、装着された光ファイバ用コネクタの位置が可動で、光コンセントのプラグ着脱動作を容易に行うことができ、かつ収納されている光ファイバの過度湾曲を回避することができる光コンセントに関するものである。
【背景技術】
【０００２】
近年、パソコン等デジタル機器が一般的に普及しており、業務用としてはもちろん、一般的な家庭内においても急激に普及している。これにともない、オフィス、および家庭内の各部屋に設けられたデジタル機器をより便利に使用するため、これらを相互接続してネットワークを構築することが求められる。また、相互接続された機器間で送受信される情報は、大容量な音声や画像等であり、これらを伝送するためには高速伝送が可能な伝送媒体である石英系光ファイバやプラスチック光ファイバ等の光ファイバケーブルが使用される。光ファイバケーブルは各部屋に設けられた光コンセント内で接続されることで部屋内の機器まで接続される。
【０００３】
従来、壁面に取付けられたボックスの中に配線用コネクタと機器用コネクタとを接続する中継アダプタが配置される光コンセントが提案されている（特許文献１参照）。
【０００４】
この場合、壁面に取付けられたボックス内において、配線用光ケーブルと機器用光ケーブルとを接続する中継アダプタが壁内において壁面と平行に設けられていて、かつ該中継アダプタの上下の端面に配線用光ケーブルと機器用光ケーブルが鉛直方向に設けられているので、中継アダプタにコネクタを差込みした状態でも、部屋内にコネクタが突出することがなく、光ファイバケーブルやコネクタを破損することがなくなる。
【０００５】
【特許文献１】特開２００３−２４０９６６号公報（第３，４頁、第１図，第２図）
【発明の開示】
【発明が解決しようとする課題】
【０００６】
しかしながら、上記した光コンセントの場合は、配線用光ケーブルと機器用光ケーブルとを接続する中継アダプタを壁面に取付けられたボックス内に配置することで、部屋内にコネクタが突出することがなく、光ファイバケーブルやコネクタの破損を回避することができるが、光コンセントへのプラグ装着、および光コンセントからのプラグ外しは狭いボックス中で行わなければならないため、プラグ着脱が困難であるという問題点があった。
【０００７】
また、従来は光ファイバを配線する際に、壁面に取付けられたベース内にコネクタを取り付ける方法で配線するため、コネクタを組み込むときの作業が不便であるという問題点があった。
【０００８】
また、従来は光コンセントのコネクタが固定されている状態であるため、光ファイバを配線する際に、コンセントからコネクタ接続するとき、差し込み作業が困難であるという問題点があった。
【０００９】
また、従来多数の光コンセントにおいて、コネクタの接続口が下向きに配置されているため、コネクタ接続部の汚れにより接続不良などがあった場合、コネクタ接続部の清掃作業が不便であり、また接続し直し等のメンテナンス作業が不便であるという問題点があった。
【００１０】
そこで、本発明は、このような問題点を考慮してなされたもので、装着された光ファイバのコネクタの位置が可動で、光コンセントのプラグ着脱動作を容易に行うことができ、かつ収納されている光ファイバの過度の湾曲を回避することができる光コンセントを提供することを目的とする。
【課題を解決するための手段】
【００１１】
上記課題を解決するため、本発明に係る光コンセントは、光ファイバを利用した通信用配線に用いられる光コンセントにおいて、壁面に取り付けるベースと、該ベースに着脱可能に装着されるカバーとを備え、カバーは、ベースに着脱可能に装着するための突起部を有する第１のカバー部材と、一端の内側に光ファイバ用コネクタが着脱可能に装着されるコネクタ装着部が設けられ、他端が前記第１のカバー部材に連結される回動自在な第２のカバー部材とを有することを特徴とするものである。
【００１２】
例えば、第１のカバー部材と第２のカバー部材とを連結する連結部に、第２のカバー部材を回動させる時に光ファイバの所定曲率を確保するための逃げ穴が設けられる。また、内部に配設された光ファイバを引き留める引き留め部材をさらに有する。また、第２のカバー部材を回動させる時に、収納されている光ファイバに対し、所定曲率を確保し、かつ前記光ファイバに伸縮する力が働かない位置に回転中心を持つようになされる。また、第１のカバー部材と第２のカバー部材とを連結する連結部は所定角度で回動可能なヒンジ構造を有する。また、第１のカバー部材と前記第２のカバー部材とは、所定角度で回動可能な連結部を介して一体に成型される。また、第２のカバー部材の目的以外の開きを防ぐためのロック機構をさらに備える。また、第１のカバー部材は、光ファイバの敷設部材の端部をカバーするカバー端部を有する。さらに、第２のカバー部材の内側に着脱可能に装着され、光ファイバを覆うようになされる内カバーを有する。
【００１３】
本発明においては、壁面に取り付けるベースと、該ベースに着脱可能に装着されるカバーとを備え、カバーは、ベースに着脱可能に装着するための突起部を有する第１のカバー部材と、一端の内側に光ファイバ用コネクタが着脱可能に装着されるコネクタ装着部が設けられ、他端が第１のカバー部材に連結される回動自在な第２のカバー部材とを有するようになされ、また、第１のカバーと第２カバーとを連結する連結部に、第２のカバー部材を開ける時に光ファイバの所定曲率を確保するための逃げ穴が設けられる。第２のカバー部材を回動させることにより装着された光ファイバのコネクタの位置が可動となる。また、連結部に逃げ穴を設けることで、第２のカバー部材をオープンする際に、光ファイバが角に接触することがなくなる。
【００１４】
これにより、光コンセントのプラグ着脱動作を容易に行うことができ、かつ収納されている光ファイバの過度の湾曲を回避することが可能となる。
【００１５】
また、内部に配設された光ファイバを引き留める引き留め部材をさらに有することで、収納されている光ファイバに対して、直接外から光ファイバに力が加わってもコネクタに力がかからないことが可能となる。
【００１６】
また、第２のカバー部材が回動する際に、収納されている前記光ファイバに対し、所定曲率を確保し、かつ光ファイバに伸縮する力が働かない位置に回転中心を持つことで、第２のカバー部材の開閉時、収納されている光ファイバに力がかからないことが可能となる。
【００１７】
また、第１のカバー部材と第２のカバー部材とを連結する連結部は所定角度で回動可能なヒンジ構造を有することで、第２のカバーの開き角度を制限することが可能となる。
【００１８】
また、第１のカバー部材と第２のカバー部材とは、所定角度で回動可能な連結部を介して一体に成型されることで、構造簡単でコストを抑えることが可能となる。また、ロック機構を設けることで、第２のカバー部材の目的以外の開きを防ぐことが可能となる。
【００１９】
また、第１のカバー部材は、光ファイバ敷設部材の端部をカバーするカバー端部を有することで、光ファイバ敷設部材と光コンセントとの間に光ファイバの露出を防ぐことが可能となる。
【００２０】
また、第２のカバー部材の内側に着脱可能に装着され、光ファイバを覆うようになされる内カバーを設けることで、第２のカバーが開いた状態でも、収納されている光ファイバに直接触れることを防止することが可能となる。
【００２１】
本発明に係る光コンセントは、複数の前記ベースが並列に配置され、または並列に一体に成型され、それぞれのベースに、内側に光ファイバ用コネクタが着脱可能に装着される前記カバーが着脱可能に装着されることを特徴とするものである。
【発明の効果】
【００２２】
本発明によれば、光コンセントは、壁面に取り付けるベースと、該ベースに着脱可能に装着される第１のカバー部材と、一端の内側に光ファイバ用コネクタが着脱可能に装着され、他端が第１のカバー部材に連結される開閉自在な第２のカバー部材とを備え、第１のカバー部材と第２のカバー部材とを連結する連結部に、第２のカバー部材が回動する時に光ファイバの所定曲率を確保するための逃げ穴が設けられるものであり、装着された光ファイバのコネクタの位置が可動で、光コンセントのプラグ着脱動作を容易に行うことができ、かつ収納されている光ファイバの過度の湾曲を回避することができる。
【００２３】
また、光ファイバを配線する際に、第２のカバー部材内にコネクタを取り付けてからベースに装着する方法で配線するため、コネクタを組み込むときの作業が容易にできる。
【００２４】
第２のカバー部材が回動可能であるため、コネクタの接続口を見やすい位置に回動させることができ、コネクタ接続部の汚れにより接続不良などがあった場合、コネクタ接続部の清掃作業、また接続し直し等のメンテナンス作業が容易にできる。
【００２５】
また、内部に配設された光ファイバを引き留める引き留め部材をさらに有することで、収納されている光ファイバに対して、直接外から光ファイバに力が加わってもコネクタに力がかからないことができる。
【００２６】
また、第２のカバー部材を開ける時、収納されている前記光ファイバに対し、所定曲率を確保し、かつ光ファイバに伸縮する力が働かない位置に回転中心を持つことで、開閉時、収納されている光ファイバに力がかからないことができる。
【００２７】
また、第１のカバー部材と第２のカバー部材とを連結する連結部は所定角度で回動可能なヒンジ構造を有することで、第２のカバー部材の開き角度を制限することができる。
【００２８】
また、第１のカバー部材と第２のカバー部材とは、所定角度で回動可能な連結部を介して一体に成型されることで、構造簡単でコストを抑えることができる。また、ロック機構を設けることで、第２のカバー部材の目的以外の開きを防ぐことができる。
【００２９】
また、第１のカバー部材は、光ファイバ敷設部材の端部をカバーするカバー端部を有することで、光ファイバ敷設部材と光コンセントとの間に光ファイバの露出を防ぐことができる。
【００３０】
また、第２のカバー部材の内側に着脱可能に装着され、光ファイバを覆うようになされる内カバーを設けることで、第２のカバー部材が開いた状態でも、収納されている光ファイバに直接触れることを防止できる。
【００３１】
本発明によれば、光コンセントは、複数の前記ベースが並列に配置され、または並列に一体に成型され、それぞれのベースに、内側に光ファイバ用コネクタが着脱可能に装着される前記カバーが着脱可能に装着されるものであり、複数の光コンセント並べて、例えば２連、または３連式の光コンセントとして使用でき、並列に複数の配線を行うことができる。それぞれの光ファイバのコネクタの位置が可動で、光コンセントのプラグ着脱動作を容易に行うことができ、かつ収納されている光ファイバの過度の湾曲を回避することができる。
【発明を実施するための最良の形態】
【００３２】
本発明に係る光コンセントを実施するための最良の形態を、図を参照して説明する。
【００３３】
図１は、本発明の実施の形態の光コンセントの構成を示す斜視図である。図１に示すように、光コンセント１００は、ベース１０と、第１のカバー部材２０と、第２のカバー部材３０と、光ファイバ用コネクタ（アダプタ）４と、引き留め部材５０Ａ，５０Ｂ（後述図５〜７参照）とから構成されている。コネクタ４はＳＣコネクタを介して光ファイバ２に接続されている。
【００３４】
図２は、ベース１０の構成を示す図である。図２中の（Ａ）はベース１０の上から見た図であり、図２中の（Ｂ）はベース１０の側面図である。
【００３５】
図２に示すように、ベース１０は、例えば樹脂材料を用いて底面と両側面と有するＵ字形に成型され、底面に取り付け用ネジ穴１１が設けられている。また、ベース１０の一端にはコネクタ４の突出部４ａ（図７参照）を嵌め込む開口部１２が設けられ、この開口部１２の両端に開口部１２Ａ，１２Ｂが設けられている。さらに、ベース１０の他端には引き留め部材５０Ａを装着する引き留め部材装着部１３が設けられている。
【００３６】
また、ベース１０の側面に第１のカバー部材２０の嵌め込む凸部２１を嵌合するための嵌合穴１４と、ロック機構として、第２のカバー部材３０の嵌め込む凸部３１を嵌合するための嵌合穴１５とが設けられている。
【００３７】
図３は、第１のカバー部材２０の構成を示す図である。図３中の（Ａ）は第１のカバー部材２０の側面図であり、図３中の（Ｂ）は第１のカバー部材２０の下から見た図である。
【００３８】
図３に示すように、第１のカバー部材２０は、例えば樹脂材料を用いて天面と両側面と有するＵ字形に成型され、側面にベース１０の嵌合穴１４に嵌め込む凸部２１が設けられている。また、第１のカバー部材２０の一端には光ファイバ敷設部材の端部をカバーするカバー端部２２が形成されている。さらに、第１のカバー部材２０には引き留め部材５０Ｂを装着する引き留め部材装着部２３が設けられている。
【００３９】
図４は、第２のカバー部材３０の構成を示す図である。図４中の（Ａ）は第２のカバー部材３０の側面図とＡ−Ａ断面図であり、図４中の（Ｂ）は第２のカバー部材３０の下から見た図である。
【００４０】
図４に示すように、第２のカバー部材３０は、例えば樹脂材料を用いて天面と両側面と有するＵ字形に成型され、ロック機構として側面にベース１０の嵌合穴１５に嵌め込む凸部３１が設けられている。また、第２のカバー部材３０の一端には連結部３２が設けられ、この連結部３２には回転軸３２Ａ，３２Ｂが設けられる。また、連結部３２の中部に逃げ穴３２Ｃが設けられている。
【００４１】
また、第２のカバー部材３０の一端側にはコネクタ４の突出部を嵌め込むための溝３３が設けられている。また、第２のカバー部材３０の側面には、先端がＬ型に形成された引っ掛け部３４が有する。さらに、第２のカバー部材３０の前端に外部からプラグを差し込む時、そのプラグ表面の位置決め用凸部を回避及び嵌合確認用のＵ字形開口部３５が設けられている。
【００４２】
図５は、引き留め部材５０Ａ，５０Ｂの構成を示す図である。図５中の（Ａ）は引き留め部材５０Ａ，５０Ｂの上から見た図であり、図５中の（Ｂ）は引き留め部材５０Ａ，５０Ｂの側面図である。
【００４３】
図５に示すように、引き留め部材５０Ａ，５０Ｂは、ベース１０の引き留め部材装着部１３、および第１のカバー部材２０の引き留め部材装着部２３に装着するための凹部５１が設けられている。また、引き留め部材５０Ａ，５０Ｂの上面と下面の中央部には、所定の光ファイバ２の曲率と対応した曲面部５２Ａ，５２Ｂが設けられ、曲面部５２Ａと５２Ｂとは、異なる曲率を有し、異なる線径の光ファイバ２に対応することが可能である。
【００４４】
次に、光コンセント１００の組み立て方法について、図面を参照しながら説明する。図６は、ベース１０の取り付けを示す図である。また図７は、カバー部の組み立て品を示す図である。光コンセント１００の設置は、壁面に沿って上から下に配線するように、即ち光コンセント１００のコネクタ４が装着された側を下向きにすることが望ましい。ここで、表示明瞭のために図面上では実際設置方向と異なる方向で示している。
【００４５】
光コンセント１００を組み立てる際に、まず、図６に示すように、壁に配置される光ファイバ敷設部材（配線用モール）１の端部の位置にベース１０をネジで壁面に取り付ける。次に、引き留め部材５０Ａを装着する。
【００４６】
次に、第１のカバー部材２０と第２のカバー部材３０とを接続する。ここで、第２のカバー部材３０の軸３２を第１カバー部材２０の軸穴２４に装着することで、第１のカバー部材２０と第２のカバー部材３０とが接続される。次に、図７に示すように、引き留め部材５０Ｂを装着し、そして、光ファイバ２が接続されたコネクタ４を第２のカバー部材３０に装着する。この場合、第２のカバー部材３０の引っ掛け部３４がコネクタ４に引っ掛かることで、コネクタ４が固定される。
【００４７】
次に、図７に示すカバー部の組み立て品をベース１０に装着する。この場合、第１のカバー部材２０の凸部２１をベース１０の嵌合穴１４に嵌め込む。内部の光ファイバ２を所定のたるみを持たせるように固定する。また、第２のカバー部材３０の凸部３１をベース１０の嵌合穴１５に嵌め込む。またこの場合、第２のカバー部材３０の両側面の引っ掛け部３４はベース１０の開口部１２Ａ，１２Ｂに入った状態となる。装着後は、図１に示す光コンセント１００の状態になる。
【００４８】
また、光プラグを光コンセント１００に挿入する際に、または光プラグを光コンセント１００から取り外す際に、第２のカバー部材３０の両側面中部の凹形部を押して凸部３１をベース１０の嵌合穴１５から出た状態で、図８に示すように、第２のカバー部材３０を引き起こす。第２のカバー部材３０を引き起こした状態で、光プラグの挿入作業、または取り外し作業を簡単に行うことが可能である。
【００４９】
また、第２のカバー部材３０を引き起こす際に、第２のカバー部材３０の連結側の両側面の端面が第１のカバー部材２０の上面に接触することで、第２のカバー部材３０の開き角度を制限する。
【００５０】
図９は、第２のカバー部材３０が開いた際の光ファイバ２の湾曲状態を示す局部断面図である。図９に示すように、第１のカバー部材２０と第２のカバー部材３０との間に、即ち連結部３２の光ファイバ２に対応する位置に逃げ穴３２Ｃを設けることで、第２のカバー部材３０をオープンする際に、光ファイバ２が角に接触することがなく、光ファイバ２は所定の曲率を確保することが可能である。例えば、光ファイバ２の湾曲部の半径Ｒは３０ｍｍである。
【００５１】
なお、図１０に示すように、第２のカバー部材３０の内側に光ファイバを覆う内カバー３６を設けるようにしてもよい。図１０は、内カバー３６が装着される状態を示す図である。この場合、内カバー３６は、例えばＡＢＳ樹脂を用いて天面と両側面と有するＵ字形に成型され、両側面は第２のカバー部材３０の両側面の内側と同じ形状にされる。また、この内カバー３６は、第２のカバー部材３０の内側に着脱可能に装着される。
【００５２】
内カバー３６を設けることにより、第２のカバー部材３０が開いた状態でも、収納されている光ファイバ２に直接触れることがなく、光ファイバ２が保護される。
【００５３】
このように本実施の形態においては、光コンセント１００は、壁面に取り付けるベース１０と、一端の内側に光ファイバ用コネクタ４が着脱可能に装着され、他端が第１のカバー部材２０に連結され、開閉自在な第２のカバー部材３０とを備え、第１のカバー部材２０と第２のカバー部材３０とを連結する連結部３２に逃げ穴３２Ｃが設けられる。
【００５４】
これにより、装着された光ファイバ２のコネクタ４の位置が可動で、光コンセント１００のプラグ着脱動作を容易に行うことができ、かつ収納されている光ファイバ２の過度の湾曲を回避することができる。
【００５５】
また、内部に配設された光ファイバ２を引き留める引き留め部材５０Ａ，５０Ｂをさらに有することで、収納されている光ファイバ２に対して、直接外から光ファイバ２に力が加わってもコネクタ４に力がかからないことができる。
【００５６】
また、第２のカバー部材を開ける時、収納されている光ファイバ２に対し、所定曲率を確保し、かつ光ファイバに伸縮する力が働かない位置に回転中心を持つことで、開閉時、収納されている光ファイバ２に力がかからないことができる。
【００５７】
また、第１のカバー部材２０と第２のカバー部材３０とを連結する連結部３２は所定角度で回動可能なヒンジ構造を有することで、第２のカバー部材３０の開き角度を制限することができる。また、ロック機構を設けることで、第２のカバー部材３０の目的以外の開きを防ぐことができる。
【００５８】
また、第１のカバー部材２０は、光ファイバ敷設部材１の端部をカバーするカバー端部２２を有することで、光ファイバ敷設部材１と光コンセント１００との間に光ファイバ２の露出を防ぐことができる。
【００５９】
また、第２のカバー部材３０の内側に着脱可能に装着され、光ファイバ２を覆うようになされる内カバー３６を設けることで、第２のカバー部材３０が開いた状態でも、収納されている光ファイバ２に直接触れることを防止できる。
【００６０】
以下、本発明の第２の実施の形態の光コンセントについて説明する。
図１１は、第２の実施の形態の光コンセントの構成を示す斜視図である。図１１に示すように、カバー８０は一体に形成された第１のカバー部材６０と第２カバー部材７０とからなる。第１のカバー部材６０と第２カバー部材７０との連結部６４は切り込み部もうけることによって薄く形成されることで、第２カバー部材７０を所定角度まで折り曲げることができる。すなわち、第２カバー部材７０が開閉自在にされる。
【００６１】
図１２は、ベース４０の構成を示す図である。図１２中の（Ａ）はベース４０の上から見た図であり、図２中の（Ｂ）はベース４０の側面図である。
【００６２】
図１２に示すように、ベース４０は、例えば樹脂材料を用いて底面と両側面と有するＵ字形に成型され、底面に取り付け用ネジ穴４１が設けられている。また、ベース４０の一端にはコネクタ４の突出部４ａ（図７参照）を嵌め込む開口部４２が設けられ、この開口部４２の両端に開口部４２Ａ，４２Ｂが設けられている。
【００６３】
また、ベース４０の側面に第１のカバー部材６０の嵌め込む凸部６１を嵌合するための嵌合穴４４と、ロック機構として、第２のカバー部材７０の嵌め込む凸部７１を嵌合するための嵌合穴４５とが設けられている。
【００６４】
図１３は、カバー８０の構成を示す図である。図１３中の（Ａ）はカバー８０の側面図とＡ−Ａ断面図であり、図１３中の（Ｂ）はカバー８０の下から見た図である。図１３に示すように、カバー８０は一体に形成された第１のカバー部材６０と、第２のカバー部材７０とからなる。カバー８０は、例えば樹脂材料を用いて天面と両側面と有するＵ字形に成型されている。
【００６５】
第１のカバー部材６０は、側面にベース４０の嵌合穴４４に嵌め込む凸部６１が設けられている。また、第１のカバー部材６０の一端には光ファイバ敷設部材の端部をカバーするカバー端部６２が形成されている。さらに、第１のカバー部材６０には引き留め部材５０Ａ，５０Ｂを装着する引き留め部材装着部６３が設けられている。
【００６６】
第２のカバー部材７０は、ロック機構として側面にベース４０の嵌合穴４５に嵌め込むための凸部７１が設けられている。
【００６７】
また、第１のカバー部材６０と第２のカバー部材７０との間には連結部６４が設けられ、この連結部６４は切り込み部を設けることによって、所定角度（例えば９０度）まで折り曲げることを制限することができる。図１４は、第２のカバー部材７０を折り曲げた状態を示す図である。第２のカバー部材７０を回動させる時に、収納されている光ファイバ２に対し、所定曲率を確保し、かつ光ファイバに伸縮する力が働かない位置に回転中心を持つようになされる。
【００６８】
また、連結部６４の中部に第２のカバー部材７０を開ける時に光ファイバの所定曲率を確保するための逃げ穴６５が設けられている。そのため、光ファイバ２が角に接触することがなくなる。
【００６９】
また、第２のカバー部材７０の一端側にはコネクタ４の突出部を嵌め込むための溝７３が設けられている。また、第２のカバー部材７０の側面には、先端がＬ型に形成された引っ掛け部７２が有する。さらに、第２のカバー部材７０の前端に外部からプラグを差し込む時、そのプラグ表面の位置決め用凸部を回避及び嵌合確認用のＵ字形開口部７５が設けられている。
【００７０】
また、この光コンセント２００の組み立て方法、およびコネクタ４の第２のカバー部材７０への装着手順は、上述した第１の実施の形態の光コンセント１００と同じである。ここで、詳細の説明を省略する。
【００７１】
このように本実施の形態においては、カバー８０は、一体に成型された第１のカバー部材６０と第２のカバー部材７０とから構成され、第１のカバー部材６０と第２のカバー部材７０との間は所定角度で回動可能な連結部６４が設けられている。
【００７２】
これにより、装着された光ファイバ２に連結されたコネクタ４の位置が可動で、光コンセント２００のプラグ着脱動作を容易に行うことができ、かつ収納されている光ファイバ２の過度の湾曲を回避することができる。また、構造簡単でコストを抑えることができる。
【００７３】
また、内部に配設された光ファイバ２を引き留める引き留め部材５０Ａ，５０Ｂをさらに有することで、収納されている光ファイバ２に対して、直接外から光ファイバ２に力が加わってもコネクタ４に力がかからないことができる。
【００７４】
また、第２のカバー部材７０を開ける時、収納されている光ファイバ２に対し、所定曲率を確保し、かつ光ファイバに伸縮する力が働かない位置に回転中心を持つことで、開閉時、収納されている光ファイバ２に力がかからないことができる。
【００７５】
また、第１のカバー部材６０と第２のカバー部材７０とを連結する連結部６４は所定角度で回動可能なヒンジ構造を有することで、第２のカバー部材７０の開き角度を制限することができる。また、ロック機構を設けることで、第２のカバー部材７０の目的以外の開きを防ぐことができる。
【００７６】
また、第１のカバー部材６０は、光ファイバ敷設部材１の端部をカバーするカバー端部６２を有することで、光ファイバ敷設部材１と光コンセント２００との間に光ファイバ２の露出を防ぐことができる。
【００７７】
なお、上述実施の形態においては、光コンセント１００，２００の第２のカバー３０，７０の開き角度は約９０度としたが、これに限定されるものではない。例えば、第２のカバー部材３０，７０の開き角度を６０度、４５度または３０度等の角度にしてもよい。
【００７８】
また、上述実施の形態においては、樹脂材料から形成されるものであるが、これに限定されるものではない。例えば、金属材料など他の材料から形成されるようにしてもよい。
【００７９】
また、上述実施の形態においては、ロック機構としてベース１０，４０に嵌合穴１５，４５を設け、第２のカバー３０，７０に凸部３１，７１を設ける場合について説明したが、これに限定されるものではない。他のロック機構を用いてもよい。
【００８０】
また、上述実施の形態においては、第２のカバー部材３０，７０に一つの光ファイバ用コネクタ４が着脱可能に装着される場合について説明したが、これに限定されるものではない。
【００８１】
例えば、複数の光コンセント１００または複数の光コンセント２００を所定間隔で並べて２連または３連式の光コンセントとして使用することで、並列に複数の光ファイバを配線することができる。なお、３以上の光コンセント１００、または光コンセント２００を並べて使用してもよい。
【００８２】
また例えば、複数のベース１０、ベース４０が所定間隔で並列に一体に成型され、それぞれのベースに、内側に光ファイバ用コネクタが着脱可能に装着されるカバーを着脱可能に装着するようにしてもよい。これにより、複数の光コンセントを並べて、２連または３連式の光コンセントとして利用できる。
【産業上の利用可能性】
【００８３】
この発明は、光通信ネットワークを構築する際、オフィスおよび住宅内に光ファイバケーブル配線に用いられる光コンセントに利用できる。
【図面の簡単な説明】
【００８４】
【図１】第１の実施の形態の光コンセントの構成を示す斜視図である。
【図２】ベース１０の構成を示す図である。
【図３】第１のカバー部材２０の構成を示す図である。
【図４】第２のカバー部材３０の構成を示すである。
【図５】引き留め部材５０Ａ，５０Ｂの構成を示す図である。
【図６】ベース１０の取り付けを示す図である。
【図７】カバー部の組み立て品を示す図である。
【図８】第２のカバー部材３０が開いた状態を示す図である。
【図９】第２のカバー部材３０が開いた際の光ファイバ２の湾曲状態を示す局部断面図である。
【図１０】第２のカバー部材３０の内カバー３６が設けた状態を示す図である。
【図１１】第２の実施の形態の光コンセントの構成を示す斜視図である。
【図１２】ベース４０の構成を示す図である。
【図１３】カバー８０の構成を示す図である。
【図１４】カバー８０を折り曲げた状態を示す図である。
【符号の説明】
【００８５】
１  光ファイバ敷設部材
２  光ファイバ
４  コネクタ
１０，４０  ベース
１１，４１  ネジ穴
１２，１２Ａ，１２Ｂ，４２，４２Ａ，４２Ｂ  開口部
１３，２３，６３  引き留め部材装着部
１４，１５，４４，４５  嵌合穴
２０，６０  第１のカバー部材
２１，３１，６１，７１  凸部
２２，６２  カバー端部
２４  軸穴
３０，７０  第２のカバー部材
３２Ａ，３２Ｂ  軸
３２Ｃ，６５  逃げ穴
３３，７３  溝
３４，７２  引っ掛け部
３５，７５  Ｕ字形開口部
３６  内カバー
５０Ａ，５０Ｂ  引き留め部材
５１  凹部
５２Ａ，５２Ｂ  曲面部
８０  カバー
１００，２００  光コンセント
【図１】
2006323290.tif 000003
【図２】
2006323290.tif 000004
【図３】
2006323290.tif 000005
【図４】
2006323290.tif 000006
【図５】
2006323290.tif 000007
【図６】
2006323290.tif 000008
【図７】
2006323290.tif 000009
【図８】
2006323290.tif 000010
【図９】
2006323290.tif 000011
【図１０】
2006323290.tif 000012
【図１１】
2006323290.tif 000013
【図１２】
2006323290.tif 000014
【図１３】
2006323290.tif 000015
【図１４】
2006323290.tif 000016